(57)【要約】      （修正有）【課題】  シャッターカーテンの落下を防止する安全装置が取付けられていない既設の建築用電動シャッターに、安全装置を取付ける方法と、安全装置を取付けた建築用電動シャッターを提供する。【解決手段】  巻取シャフト４の端部軸１６に固定された巻取シャフト駆動回転用第一従動回転部材１８と、端部軸１６との軸回転を規制する回転規制部材１７と、第一従動回転部材１８とを取外し、第一従動回転部材１８と安全装置の作動力を受ける第二従動回転部材３５とが一体固定された二段回転部材３４と、二段回転部材３４と端部軸１６との軸回転を規制するための回転規制部材３８と、第二従動回転部材３５と安全装置１１間に、安全装置１１の作動力伝達用の作動力伝達手段３９とを取付ける。【選択図】  図４
2007023552.tif 000002
【特許請求の範囲】
【請求項１】
シャッターカーテンが巻装される巻取シャフトの異常回転を防止する安全装置を既設の建築用電動シャッターに取付ける方法であって、
前記巻取シャフトの端部軸に固定された巻取シャフト駆動回転用第一従動回転部材と前記端部軸との軸回転を規制する回転規制部材を前記端部軸から取外す工程と、
前記回転規制部材を取外した前記端部軸に、前記安全装置の作動力を受ける第二従動回転部材を取付ける工程と、
前記第一従動回転部材および前記第二従動回転部材と前記端部軸との軸回転を規制する回転規制部材を前記端部軸に取付ける工程と、
前記第二従動回転部材と前記安全装置間に、前記安全装置の作動力伝達用の作動力伝達手段を取付ける工程とを備えていることを特徴とする建築用電動シャッターの安全装置取付方法。
【請求項２】
シャッターカーテンが巻装される巻取シャフトの異常回転を防止する安全装置を既設の建築用電動シャッターに取付ける方法であって、
前記巻取シャフトの端部軸に固定された巻取シャフト駆動回転用第一従動回転部材と前記端部軸との軸回転を規制する回転規制部材を前記端部軸から取外す工程と、
前記第一従動回転部材を前記端部軸から取外す工程と、
前記回転規制部材を取外した前記端部軸に、第一従動回転部材と前記安全装置の作動力を受ける第二従動回転部材とが一体固定された二段回転部材を取付ける工程と、
前記二段回転部材と前記端部軸との軸回転を規制する回転規制部材を前記端部軸に取付ける工程と、
前記第二従動回転部材と前記安全装置間に、前記安全装置の作動力伝達用の作動力伝達手段を取付ける工程とを備えていることを特徴とする建築用電動シャッターの安全装置取付方法。
【請求項３】
シャッターカーテンが巻装される巻取シャフトの異常回転を防止する安全装置を既設の建築用電動シャッターに取付ける方法であって、
前記巻取シャフトの端部軸に固定された巻取シャフト駆動回転用第一従動回転部材と前記端部軸との軸回転を規制する第一回転規制手段が設けられた前記端部軸に、前記安全装置の作動力を受ける第二従動回転部材を取付ける工程と、
前記第二従動回転部材と前記安全装置間に、前記安全装置の作動力伝達用の作動力伝達手段を取付ける工程とを備えていることを特徴とする建築用電動シャッターの安全装置取付方法。
【請求項４】
シャッターカーテンが巻装される巻取シャフトの異常回転を防止する安全装置を既設の建築用電動シャッターに取付ける方法であって、
前記巻取シャフトの端部軸に固定された巻取シャフト駆動回転用第一従動回転部材と前記端部軸との軸回転を規制する第一回転規制手段が設けられた前記端部軸から前記第一従動回転部材を取外す工程と、
前記第一従動回転部材を取外した前記端部軸に、第一従動回転部材と前記安全装置の作動力を受ける第二従動回転部材とが一体固定された二段回転部材を取付ける工程と、
前記第二従動回転部材と前記安全装置間に、前記安全装置の作動力伝達用の作動力伝達手段を取付ける工程とを備えていることを特徴とする建築用電動シャッターの安全装置取付方法。
【請求項５】
開閉機の駆動に基づいて巻取シャフトが回転して、巻取シャフトに巻装されたシャッターカーテンが開閉作動する巻取シャフトの異常回転を防止する安全装置が設けられた建築用電動シャッターであって、
前記安全装置の作動軸に取付けられた作動回転部材と、
前記巻取シャフトの端部軸に取付けられた巻取シャフト駆動回転用第一従動回転部材と、
前記安全装置の作動力を作動回転部材を介して受ける第二従動回転部材と、
前記作動回転部材と前記第二従動回転部材を巻装する作動力伝達手段と
を備えており、
前記第一従動回転部材と前記第二従動回転部材とは一体固定された二段回転部材で構成され、
前記安全装置の作動力が第二従動回転部材を介して巻取シャフトに伝達されることを特徴とする安全装置付建築用電動シャッター。
【請求項６】
開閉機の駆動に基づいて巻取シャフトが回転して、巻取シャフトに巻装されたシャッターカーテンが開閉作動する巻取シャフトの異常回転を防止する安全装置が設けられた建築用電動シャッターであって、
前記巻取シャフトの端部軸は、巻取シャフト駆動回転用の第一従動回転部材と前記安全装置の作動力を受けるための第二従動回転部材とが取付く長さを有すると共に、
前記第一従動回転部材および第二従動回転部材と前記端部軸との軸回転を規制する第二回転規制手段を備えた端部軸であることを特徴とする安全装置付建築用電動シャッター。
【発明の詳細な説明】
【技術分野】
【０００１】
本発明は、ビルや住宅などの建物開口部に設置される建築用電動シャッターのシャッターカーテンの落下を防止する安全装置の取付方法と、安全装置を取付けた建築用電動シャッターに関するものである。  
【背景技術】
【０００２】
一般に、建築用電動シャッターは、開閉機の軸と、巻取シャフトの端部軸にスプロケットを固定して、その両スプロケット間をローラチェーンで連結させることで、開閉機の回転を巻取シャフトに伝達して、シャッターカーテンを昇降させて開口部を開閉するようになっている。ここで、ローラチェーンにはシャッターカーテンの荷重がシャッターの開閉時および停止時において加わるため、ローラチェーンが破断する事態も考えられる。このような場合、何らシャッターカーテンの落下を防止する安全装置が無ければ、重量物であるシャッターカーテンが落下することとなり非常に危険である。
【０００３】
そこで、このような事態に対応する安全装置として、特開平８−９３３６５に、巻取シャフトの開閉機が設けられる側と反対側である他側に従動側ブレーキ装置を設け、シャッターカーテン等の移動速度を検知する検知手段によりシャッターカーテンの移動速度を検知し、移動速度が所定の設定速度より大きいと判断された場合には、従動側ブレーキ装置を作動させて、シャッターカーテンの落下を防止する安全装置が開示されている。ここで巻取シャフトの他側の端部軸には、従動側ブレーキの作動を伝達するための従動側スプロケットが固定されている。また、特開２００１−３２６５５には、巻取シャフトが所定量以上の回転数に達すると制動が働く落下防止装置を巻取シャフトの従動側端部軸に設けている安全装置が開示されている。
【特許文献１】特開平８−９３３６５公報
【特許文献２】特開２００１−３２６５５公報
【発明の開示】
【発明が解決しようとする課題】
【０００４】
しかし、いずれの安全装置も新設の建築用電動シャッターに取付けることを想定しているものであり、これらの安全装置を取付けるためには、巻取シャフトの端部軸に従動側スプロケットや落下防止装置を設けるための専用のキー溝などの回転規制手段を備えていなければならない。従って、あらかじめこれらの安全装置を取付けることを前提としていなかった既設のシャッターの巻取シャフトには、これら安全装置を取付けることができないといった問題が生じていた。
本発明は、上記問題点を解決するために創案されたものであって、当初から、シャッターカーテンの落下を防止する安全装置を取付けるための回転規制手段が備えられていない既設の建築用電動シャッターに、安全装置を取付ける方法と、安全装置を取付けた建築用電動シャッターを提供することを目的とするものである。
【課題を解決するための手段】
【０００５】
上記課題を解決するために本発明が採用した技術手段は、シャッターカーテンが巻装される巻取シャフトの異常回転を防止する安全装置を既設の建築用電動シャッターに取付ける方法であって、前記巻取シャフトの端部軸に固定された巻取シャフト駆動回転用第一従動回転部材と前記端部軸との軸回転を規制する回転規制部材を前記端部軸から取外す工程と、前記回転規制部材を取外した前記端部軸に、前記安全装置の作動力を受ける第二従動回転部材を取付ける工程と、前記第一従動回転部材および前記第二従動回転部材と前記端部軸との軸回転を規制する回転規制部材を前記端部軸に取付ける工程と、前記第二従動回転部材と前記安全装置間に、前記安全装置の作動力伝達用の作動力伝達手段を取付ける工程とを備えていることを特徴とする建築用電動シャッターの安全装置取付方法である。
【０００６】
好ましくは、シャッターカーテンが巻装される巻取シャフトの異常回転を防止する安全装置を既設の建築用電動シャッターに取付ける方法であって、前記巻取シャフトの端部軸に固定された巻取シャフト駆動回転用第一従動回転部材と前記端部軸との軸回転を規制する回転規制部材を前記端部軸から取外す工程と、前記第一従動回転部材を前記端部軸から取外す工程と、前記回転規制部材を取外した前記端部軸に、第一従動回転部材と前記安全装置の作動力を受ける第二従動回転部材とが一体固定された二段回転部材を取付ける工程と、前記二段回転部材と前記端部軸との軸回転を規制する回転規制部材を前記端部軸に取付ける工程と、前記第二従動回転部材と前記安全装置間に、前記安全装置の作動力伝達用の作動力伝達手段を取付ける工程とを備えていることを特徴とする建築用電動シャッターの安全装置取付方法である。
【０００７】
好ましくは、シャッターカーテンが巻装される巻取シャフトの異常回転を防止する安全装置を既設の建築用電動シャッターに取付ける方法であって、前記巻取シャフトの端部軸に固定された巻取シャフト駆動回転用第一従動回転部材と前記端部軸との軸回転を規制する第一回転規制手段が設けられた前記端部軸に、前記安全装置の作動力を受ける第二従動回転部材を取付ける工程と、前記第二従動回転部材と前記安全装置間に、前記安全装置の作動力伝達用の作動力伝達手段を取付ける工程とを備えていることを特徴とする建築用電動シャッターの安全装置取付方法である。
【０００８】
好ましくは、シャッターカーテンが巻装される巻取シャフトの異常回転を防止する安全装置を既設の建築用電動シャッターに取付ける方法であって、前記巻取シャフトの端部軸に固定された巻取シャフト駆動回転用第一従動回転部材と前記端部軸との軸回転を規制する第一回転規制手段が設けられた前記端部軸から前記第一従動回転部材を取外す工程と、前記第一従動回転部材を取外した前記端部軸に、第一従動回転部材と前記安全装置の作動力を受ける第二従動回転部材とが一体固定された二段回転部材を取付ける工程と、前記第二従動回転部材と前記安全装置間に、前記安全装置の作動力伝達用の作動力伝達手段を取付ける工程とを備えていることを特徴とする建築用電動シャッターの安全装置取付方法である。
【０００９】
本発明が採用した他の技術手段は、開閉機の駆動に基づいて巻取シャフトが回転して、巻取シャフトに巻装されたシャッターカーテンが開閉作動する巻取シャフトの異常回転を防止する安全装置が設けられた建築用電動シャッターであって、前記安全装置の作動軸に取付けられた作動回転部材と、前記巻取シャフトの端部軸に取付けられた巻取シャフト駆動回転用第一従動回転部材と、前記安全装置の作動力を作動回転部材を介して受ける第二従動回転部材と、前記作動回転部材と前記第二従動回転部材を巻装する作動力伝達手段とを備えており、前記第一従動回転部材と前記第二従動回転部材とは一体固定された二段回転部材で構成され、前記安全装置の作動力が第二従動回転部材を介して巻取シャフトに伝達されることを特徴とする安全装置付建築用電動シャッターである。
【００１０】
好ましくは、開閉機の駆動に基づいて巻取シャフトが回転して、巻取シャフトに巻装されたシャッターカーテンが開閉作動する巻取シャフトの異常回転を防止する安全装置が設けられた建築用電動シャッターであって、前記巻取シャフトの端部軸は、巻取シャフト駆動回転用の第一従動回転部材と前記安全装置の作動力を受けるための第二従動回転部材とが取付く長さを有すると共に、前記第一従動回転部材および第二従動回転部材と前記端部軸との軸回転を規制する第二回転規制手段を備えた端部軸であることを特徴とする安全装置付建築用電動シャッター。
【発明の効果】
【００１１】
請求項１に係る発明では、巻取シャフトの端部軸に固定された巻取シャフト駆動回転用第一従動回転部材と前記端部軸との軸回転を規制する回転規制部材を前記端部軸から取外した後に、その端部軸を利用して、安全装置の作動力を受ける第二従動回転部材を取付けるため、当初から、シャッターカーテンの落下を防止する安全装置を取付けるための専用キー溝が端部軸に加工されていない既設の建築用電動シャッターにおいても、巻取シャフトを交換することなく安全装置を取付けることができる。
【００１２】
請求項２に係る発明では、巻取シャフトの端部軸に固定された巻取シャフト駆動回転用第一従動回転部材と前記端部軸との軸回転を規制する回転規制部材と前記第一従動回転部材とを前記端部軸から取外した後に、その端部軸を利用して、第一従動回転部材と第二従動回転部材とが一体固定された二段回転部材を取付けるので、当初から、シャッターカーテンの落下を防止する安全装置を取付けるための専用キー溝が端部軸に加工されていない既設の建築用電動シャッターであって、端部軸の軸長さが、第一従動回転部材と第二従動回転部材とを独立して端部軸に取付けられない長さであっても、端部軸に第二従動回転部材を取付けることができるため、巻取シャフトを交換することなく安全装置を取付けることができる。
【００１３】
請求項３に係る発明では、巻取シャフト駆動回転用第一従動回転部材が固定された巻取シャフトの端部軸であって、スプライン加工などの軸回転を規制する第一回転規制手段が設けられている前期端部軸を利用して、安全装置の作動力を受ける第二従動回転部材を取付けるため、当初から、シャッターカーテンの落下を防止する安全装置を取付けるための専用の軸回転を規制する第一回転規制手段が設けられていない既設の建築用電動シャッターにおいても、巻取シャフトを交換することなく安全装置を取付けることができる。
【００１４】
請求項４に係る発明では、巻取シャフト駆動回転用第一従動回転部材が固定された巻取シャフトの端部軸であって、スプライン加工などの軸回転を規制する第一回転規制手段が設けられている前期端部軸を利用して、第一従動回転部材と第二従動回転部材とが一体固定された二段回転部材を取付けるため、当初から、シャッターカーテンの落下を防止する安全装置を取付けるための専用の軸回転を規制する第一回転規制手段が設けられていない既設の建築用電動シャッターにおいて、端部軸の長さが第一従動回転部材しか取付けられない長さであっても、巻取シャフト端部軸に第二従動回転部材を取付けることができるため、巻取シャフトを交換することなく安全装置を取付けることができる。
【００１５】
請求項５に係る発明では、安全装置の作動力を受ける第二従動回転部材は、巻取シャフトの端部軸に取付けられる巻取シャフト駆動回転用第一従動回転部材と一体固定された構成であり、前記安全装置の作動力を作動回転部材を介して受ける第二従動回転部材と、前記作動回転部材と前記第二従動回転部材を巻装する作動力伝達手段とを備えていることから、前記安全装置の作動力が第二従動回転部材を介して巻取シャフトに伝達されるため、巻取シャフトの端部軸に特別な加工をする必要なく既設の建築用電動シャッターに安全装置を取付けることができる。
【００１６】
請求項６に係る発明では、既設の建築用電動シャッターに設けるための前記巻取シャフトの端部軸は、巻取シャフト駆動回転用の第一従動回転部材と前記安全装置の作動力を受けるための第二従動回転部材とが取付く長さを有すると共に、前記第一従動回転部材および第二従動回転部材と前記端部軸の軸回転を規制する第二回転規制手段を備えているため、シャッター設置後においても、巻取シャフトを交換することなく安全装置を取付けることができる。
【発明を実施するための最良の形態】
【００１７】
本発明に係る建築用電動シャッターの安全装置取付方法とシャッター安全装置取付用巻取シャフトを、第一の実施例として図1乃至図６基づき説明する。
【００１８】
図１はシャッター装置１の正面図である。シャッター装置１は、複数の横長状の板材から成り、該板材同士を回動自在に連結する連結手段（図示せず）を備えているシャッタースラット６により構成されて開口部を上下動することにより開口部を開放・閉鎖するシャッターカーテン２と、開口部左右に立設されてシャッターカーテン２の左右端部をガイドするガイドレール３と、シャッターカーテン２が吊持されて、シャッターカーテン２を巻き取るための巻取シャフト４と、巻取シャフト４を回転駆動させる開閉機５と、開閉機の回転を巻取シャフトに伝達するたの伝達手段ユニット９と、開口部全開時に巻取シャフト４に巻き取られるシャッターカーテン２を収納するシャッターケース７と、前記巻取シャフト４を支持するためにシャッターケースの側面に位置する一対のサイドブラケット８と、シャッターカーテン２の下部に位置する座板１０、および、巻取シャフトの異常回転を防止する安全装置ユニット１１から成る。
【００１９】
図２、図３は既設の建築用電動シャッターの巻取シャフト４と開閉機５および伝達手段ユニット９の詳細を示す。尚、図３は図２の側面詳細を示す。図２に示すように、巻取シャフト４は、シャッターカーテン２を巻き取る巻胴部１５と巻胴部１５の両端部に位置して一体に固定された一対の端部軸１６で構成されている。また、伝達手段ユニット９は、開閉機５の駆動軸２５に固定された駆動スプロケット２６と、端部軸１６に固定されて巻取シャフト４を駆動回転させるための第一従動スプロケット１８（本発明における第一従動回転部材に該当する）と、駆動スプロケット２６の回転を第一従動スプロケット１８に伝達するための駆動チェーン２７とを備えている。端部軸１６はサイドブラケット８に固定された軸受１２に支持されており、巻取シャフト４は、軸受１２を介してサイドブラケット８に対して回転可能に取り付いている。第一従動スプロケット１８は端部軸１６のサイドブラケット８よりも端部側、すなわち、巻胴１５と第一従動スプロケット１８との中間にサイドブラケット８が位置するように端部軸１６に取付いている。従って、既設の電動シャッターでも、サイドブラケット８から巻取シャフト４を外すことなく第一従動スプロケット１８を取外すことができる。第一従動スプロケット１８と端部軸１６との軸方向の移動を規制するために、第一従動スプロケット１８に一体固定されたボス部２３には、ボス部２３の外周面から、第一従動スプロケット１８とボス部２３との軸中心に穴加工された軸穴２１の内周面にまで貫通して螺子穴加工された螺子穴が設けられており、該螺子穴に止め螺子１９を取付けてる。止め螺子１９を工具により軸穴２１方向に移動するように回転させると、止め螺子１９の先端部が端部軸１６に当接して、第一従動スプロケット１８と端部軸１６との軸方向の移動は規制される。また、第一従動スプロケット１８と端部軸１６との軸回転を規制するために、端部軸１６には凹状に軸キー溝２０が加工され、また、軸穴２１には凹状に軸穴キー溝２２が加工されており、軸キー溝２０の凹状穴と軸穴キー溝２２の凹状穴を合わせた略矩形状穴に第一キー部材１７（本発明における回転規制部材に該当する。）を挿入して、第一従動スプロケット１８と端部軸１６との軸回転は規制される。
【００２０】
開閉機５は、第一従動スプロケット１８が取付いている側のサイドブラケット８に取付いているが、開閉機５の駆動軸２５の軸芯と巻取シャフト４の軸芯とが平行になると共に、巻取シャフト４の軸芯と垂直な第一従動スプロケット１８の歯芯を含む面と、駆動軸２５の軸芯と垂直な駆動スプロケット２６の歯芯を含む面とが略一致するように、開閉機５はサイドブラケット８に取付いている。尚、上記状態になっていれば、開閉機は躯体５０に取付いていてもかまわない。第一従動スプロケット１８と駆動スプロケット２６には開閉機５の回転駆動を伝えるための伝達部材である駆動チェーン２７が巻き掛けられている。上記構成による伝達手段ユニット９を介して、開閉機５の回転駆動が巻取シャフト４に伝達され、巻取シャフト４に巻装されるシャッターカーテン２が上下動することにより、開口部が開放・閉鎖される。
【００２１】
図４、図５は既設の建築用電動シャッターの巻取シャフト４に安全装置ユニット１１を取付けた詳細を示す。尚、図５は図４の側面詳細を示す。安全装置ユニット１１は、躯体５０側に取付いた安全装置３０と、安全装置３０の作動軸３１に固定された作動スプロケット３２（本発明における作動回転部材に該当する）と、安全装置３０の作動力を受ける第二従動スプロケット３５（本発明における第二従動回転部材に該当する。）と第一従動スプロケット１８とが一体固定された二段スプロケット３４（本発明における二段回転部材に該当する。）と、作動スプロケット３２を介して安全装置３０作動力を第二従動スプロケット３５に伝達するための作動チェーン３９（本発明における作動力伝達手段に該当する。）とを備えている。安全装置３０はブラケット等により躯体５０に固定されており、安全装置３０の作動軸３１には作動スプロケット３２が固定されている。作動軸３１と作動スプロケット３２の固定は、キー部材やスプライン加工および螺子止めなどの公知の手段により行われている。ここで、安全装置３０は、特開２００１−３２６５５に開示されている落下防止装置その他の巻取シャフトが所定量以上の回転数に達すると該回転を停止させるものや、該回転を低速にさせる手段を備えたものなどである。二段スプロケット３４は端部軸１６のサイドブラケット８よりも端部側に位置すると共に、第一従動スプロケット１８がサイドブラケット８側に位置し、巻胴１５と二段スプロケット３４との中間にサイドブラケット８が位置するように端部軸１６に取付いている。二段スプロケット３４と端部軸１６との軸方向の移動を規制するために、第一従動スプロケット１８と第二従動スプロケット３５の間に位置して両スプロケット１８、３５と一体固定された中間ボス部３６には、中間ボス部３６の外周面から、第一従動スプロケット１８と中間ボス部３６および第二従動スプロケット３５の軸中心に穴加工された軸穴４０の内周面にまで貫通して螺子穴加工された螺子穴が設けられて、止め螺子１９を取付けてる。止め螺子１９を工具により軸穴４０方向に移動するように回転させると、止め螺子１９の先端部が端部軸１６に当接して、二段スプロケット３４と端部軸１６との軸方向の移動は規制される。また、二段スプロケット３４と端部軸１６との軸回転を規制するために、軸穴４０には凹状に軸穴キー溝４１が加工されており、端部軸に既に加工されている軸キー溝２０の凹状穴と軸穴キー溝４１の凹状穴を合わせた略矩形状穴に第三キー部材３８（本発明における回転規制部材に該当する。）を挿入して、二段スプロケット３４と端部軸１６との軸回転方向の移動は規制される。ここで、第三キー部材３８は、二段スプロケット３４を固定するのに十分な長さを有していれば第一キー部材１７を使用してもよい。
【００２２】
二段スプロケット３４の第二従動スプロケット３５と作動スプロケット３２とには安全装置３０の作動力を伝えるための伝達部材である作動チェーン３９が巻き掛けられており、また、第一従動スプロケット１８と駆動スプロケット２６とには開閉機５の回転駆動を伝えるための伝達部材である駆動チェーン２７が巻き掛けられている。上記構成による安全装置ユニット１１を介して、安全装置３０の作動力が巻取シャフト４に伝達されるので、駆動チェーン２７の切断等により巻取シャフトが所定量以上の回転数に達した場合には、該回転を停止させ、または、該回転を低速回転に抑えてシャッターカーテン２の急激な落下を防止することができる。
【００２３】
第一の実施例では、端部軸１６に第一従動スプロケット１８と第二従動スプロケット３５とが一体固定された二段スプロケット３４を取付けた構成としたが、図６に示した第二の実施例として、既に第一従動スプロケット１８が取付いている端部軸１６の端部側に、第一従動スプロケット１８とは独立した第二従動スプロケット３５を取付け、第一従動スプロケット１８および第二従動スプロケット３５と端部軸１６との軸方向の移動を規制する手段は、第一従動スプロケット１８および第二従動スプロケット３５それぞれに設けられたボス部に取付けた止め螺子１９により行う構成とし、第一従動スプロケット１８および第二従動スプロケット３５と端部軸１６との軸回転を規制する手段（本発明における第二回転規制手段に該当する。）は、端部軸１６と、第一従動スプロケット１８とそのボス部および第二従動スプロケット３５とそのボス部に加工されたキー溝に第二キー部材４３（本発明における回転規制部材に該当する。）を挿入することにより行う構成としてもよい。端部軸１６には、第一従動スプロケット１８と第二従動スプロケット３５が独立して取付くので、端部軸１６は、第一従動スプロケット１８と第二従動スプロケット３５が取付く長さを有している。従って、端部軸１６には、第一従動スプロケット１８と第二従動スプロケット３５が独立して取付くが、端部軸１６は、第一従動スプロケット１８と第二従動スプロケット３５が取付く長さを有しているため、第二従動スプロケット３５に安全装置３０の作動力が端部軸１６の軸断面に沿う方向に作用しても、第二従動スプロケット３５が端部軸１６に安定して固定される。ここで、第二キー部材４３は、第一従動スプロケット１８と第二従動スプロケット３５を固定するのに十分な長さを有していれば第一キー部材１７または第三キー部材３８を使用してもよい。
【００２４】
また、第一、第二の実施例では、二段スプロケット３４または第一従動スプロケット１８と第二従動スプロケット３５と、端部軸１６との軸回転を規制するために、キー部材１７、３８、４３を挿入することにより行う構成としているが、第三の実施例は、前記軸回転を規制するために、キー部材１７、３８、４３を用いずに、スプライン加工された端部軸１６と、スプライン加工された軸穴を有する二段スプロケット３４またはスプライン加工された軸穴を有する第一従動スプロケット１８とスプライン加工された軸穴を有する第二従動スプロケット３５とによる軸回転を規制する手段（本発明における第一回転規制手段に該当する。）を用いた構成としている。従って、第一、第二の実施例で使用されているキー部材１７、３８、４３が無くなるため、部品点数が少なくなり、容易に取付けることができる。尚、第三の実施例では、前記端部軸１６、前記二段スプロケット３４、前記第一従動スプロケット１８、前記第二従動スプロケット３５以外は第一、第二実施例と共通の部品を使用する。
【００２５】
次に、既設の建築用電動シャッターに安全装置ユニット１１を取付ける方法について説明する。まず、作動スプロケット３２が取付いた安全装置３０をブラケットを介して躯体５０に取付ける。次に、第一従動スプロケット１８が取付いている側の巻取シャフト４の端部軸１６に挿入されている第一キー部材１７を端部軸１６から取外し、さらに、第一従動スプロケット１８を端部軸１６から取外す。それから、前記第一従動スプロケット１８を取外した端部軸１６に二段スプロケット３４を嵌め込み、二段スプロケット３４が軸方向に移動するのを規制するために止め螺子１９を締め付けて、端部軸１６に二段スプロケット３４を取付ける。さらに、二段スプロケット３４の端部軸１６に対する軸回転を防止するために、軸キー溝２０の凹状穴と軸穴キー溝４１の凹状穴を合わせた略矩形状穴に第三キー部材３８を挿入して取付ける。そして、作動スプロケット３２と二段スプロケット３４の第二従動スプロケット３５間に作動チェーン３９を、また、開閉機５の駆動スプロケット２６と二段スプロケット３４の第一従動スプロケット１８間に駆動チェーン２７を巻き掛けて取付ける。この安全装置ユニット１１を取付ける方法により、巻取シャフト４の端部軸１６に第二従動スプロケット３５を取付ける専用のキー溝加工がされていなくても、端部軸１６に既に加工されている軸キー溝２０を利用するので、既設の建築用シャッターであっても、安全装置ユニット１１を容易に取付けることができる。尚、安全装置３０の躯体５０への取付けは、作動チェーン３９の取付け前であれば、どの段階で取付けても構わない。
【００２６】
既設の建築用電動シャッターに安全装置ユニット１１を取付ける第二の方法について説明する。まず、作動スプロケット３２が取付いた安全装置３０をブラケットを介して躯体５０に取付ける。次に、第一従動スプロケット１８が取付いている側の巻取シャフト４の端部軸１６に挿入されている第一キー部材１７を端部軸１６から取外す。それから、前記第一キー部材１７を取外した端部軸１６に第二従動スプロケット３５を嵌め込み、第二従動スプロケット３５が軸方向に移動するのを規制するために止め螺子１９を締め付けて、端部軸１６に第二従動スプロケット３５を取付ける。さらに、第一従動スプロケット１８と第二従動スプロケット３５の端部軸１６に対する軸回転を防止するために、軸キー溝２０の凹状穴と軸穴キー溝２２の凹状穴を合わせた略矩形状穴に第二キー部材４３を挿入して取付ける。そして、作動スプロケット３２と第二従動スプロケット３５間に作動チェーン３９を巻き掛けて取付ける。この安全装置ユニット１１を取付ける方法により、巻取シャフト４の端部軸１６に第二従動スプロケット３５を取付ける専用のキー溝加工がされていなくても、端部軸１６に既に加工されている軸キー溝２０を利用するので、既設の建築用電動シャッターであっても、安全装置ユニット１１を取付けることができ、しかも、既に取付いている伝達手段ユニット９を外す必要がないので、安全装置ユニット１１を容易に取付けることができる。尚、安全装置３０の躯体５０への取付けは、作動チェーン３９の取付け前であれば、どの段階で取付けても構わない。
【００２７】
次に、既設の建築用電動シャッターに安全装置ユニット１１を取付ける第三の方法について説明する。まず、作動スプロケット３２が取付いた安全装置３０をブラケットを介して躯体５０に取付ける。次に、スプライン加工された第一従動スプロケット１８をスプライン加工された端部軸１６から取外す。それから、前記第一従動スプロケット１８を取外した前記端部軸１６にスプライン加工された二段スプロケット３４を嵌め込み、前記二段スプロケット３４が軸方向に移動するのを規制するために止め螺子１９を締め付けて、前記端部軸１６に前記二段スプロケット３４を取付ける。そして、作動スプロケット３２と前記二段スプロケット３４の第二従動スプロケット３５に作動チェーン３９を、また、開閉機５の駆動スプロケット２６と前記二段スプロケット３４の第一従動スプロケット１８に駆動チェーン２７を巻き掛けて取付ける。この安全装置ユニット１１を取付ける方法により、巻取シャフト４の前記端部軸１６に前記二段スプロケット３４を取付ける専用のスプライン加工がされていなくても、前記端部軸１６に既に加工されているスプライン加工を利用するので、既設の建築用電動シャッターであっても、安全装置ユニット１１を容易に取付けることができる。また、前記端部軸１６と前記二段スプロケット３４との軸回転については、前記端部軸１６と前記二段スプロケット３４の軸穴４０にスプライン加工が施されているので、軸回転を規制する手段を別段設ける必要がない。尚、安全装置３０の躯体５０への取付けは、作動チェーン３９の取付け前であれば、どの段階で取付けても構わない。
【００２８】
既設の建築用電動シャッターに安全装置ユニット１１を取付ける第四の方法について説明する。まず、作動スプロケット３２が取付いた安全装置３０をブラケットを介して躯体５０に取付ける。次に、スプライン加工された第一従動スプロケット１８が取付いている側の巻取シャフト４のスプライン加工された端部軸１６にスプライン加工された第二従動スプロケット３５を嵌め込み、前記第二従動スプロケット３５が軸方向に移動するのを規制するために止め螺子１９を締め付けて、前記端部軸１６に前記第二従動スプロケット３５を取付ける。そして、作動スプロケット３２と前記第二従動スプロケット３５間に作動チェーン３９を巻き掛けて取付ける。この安全装置ユニット１１を取付ける方法により、巻取シャフト４の前記端部軸１６に前記第二従動スプロケット３５を取付ける専用のスプライン加工がされていなくても、前記端部軸１６に既に加工されているスプライン加工利用するので、既設の建築用電動シャッターであっても、安全装置ユニット１１を取付けることができ、しかも、既に取付いている伝達手段ユニット９を外す必要がないので、安全装置ユニット１１を容易に取付けることができる。尚、安全装置３０の躯体５０への取付けは、作動チェーン３９の取付け前であれば、どの段階で取付けても構わない。
【産業上の利用可能性】
【００２９】
本発明は、ビルや住宅などの建物開口部に設置される建築用電動シャッターに好適に利用可能である。
【図面の簡単な説明】
【００３０】
【図１】安全装置が取付いた建築用電動シャッターの正面図である。
【図２】建築用電動シャッター駆動部分の正面詳細図である。
【図３】図２における側面図である。
【図４】安全装置が取付いた建築用電動シャッター駆動部分の正面詳細図である。
【図５】図４における側面図である。
【図６】他の実施例の安全装置が取付いた建築用電動シャッター駆動部分の正面詳細図である。
【符号の説明】
【００３１】
２    シャッターカーテン
４    巻取シャフト
１６  端部軸
１７  回転規制部材（第一キー部材）
１８  第一従動回転部材（第一従動スプロケット）
３０  安全装置
３４  二段回転部材（二段スプロケット）
３５  第二従動回転部材（第二従動スプロケット）
３８  回転規制部材（第三キー部材）
３９  作動力伝達手段（作動チェーン）
【図１】
2007023552.tif 000003
【図２】
2007023552.tif 000004
【図３】
2007023552.tif 000005
【図４】
2007023552.tif 000006
【図５】
2007023552.tif 000007
【図６】
2007023552.tif 000008